(57)【特許請求の範囲】
【請求項１】
オープンショーケースの本体開口上部に取り付けられたパネルを、隣接する他のパネルとコーナー部において連結する接続具において、
内面上部に形成され、前記両パネルの端面上部がそれぞれ挿入係合される係合部と、内面下部に形成され、前記本体にネジ止めされるネジ止め部とを備えたことを特徴とするオープンショーケースのパネルコーナー接続具。
【請求項２】
内面に突出形成された一対の縦壁を備え、各縦壁の上端に形成された切欠により係合部をそれぞれ構成したことを特徴とする請求項１のオープンショーケースのパネルコーナー接続具。
【請求項３】
各係合部間における内面上部に、両パネルのフランジが突き合わされた状態で挿入係合される保持部を形成したことを特徴とする請求項１又は請求項２のオープンショーケースのパネルコーナー接続具。
【請求項４】
内面下部に突出形成された水平壁を備え、この水平壁にネジ止め部を構成したことを特徴とする請求項１、請求項２又は請求項３のオープンショーケースのパネルコーナー接続具。
【発明の詳細な説明】
【０００１】
【発明の属する技術分野】
本発明は、オープンショーケースの本体開口上部に設けられたパネルを、隣接する他のパネルとコーナー部において連結する接続具に関するものである。
【０００２】
【従来の技術】
従来よりスーパーマーケットなどの店舗内に設置されるオープンショーケースは、その開口上縁に蛍光灯が取り付けられる反射板を備えると共に、この反射板の外側前方及び上方には天板パネルと称される外装パネルが取り付けられている。
【０００３】
また、例えば特公平７−５４２３１号公報（Ｆ２５Ｄ１７／０８）に示される如く隣接する四面全周が開口するアイランドタイプのオープンショーケースや、二方向或いは三方向が開口するコーナータイプのオープンショーケースでは、各開口の上部に取り付けられた前記天板パネルをコーナー部において接続具により相互に連結していた。
【０００４】
図８及び図９を用いて従来のコーナータイプオープンショーケースにおける天板パネルの接続構造を説明する。図中１０１は従来の接続具であり、１０２及び１０３は隣接する各開口の上部に取り付けられた天板パネルである。各天板パネル１０２、１０３は塗装鋼板などにて形成されており、上面１０２Ａ、１０３Ａ及び前面１０２Ｂ、１０３Ｂをそれぞれ有して下方及び後方に開放した長尺形状を呈している。また、コーナーにおいて突き合う各天板パネル１０２、１０３の端縁はそれぞれ４５度の角度に成形されており、突き合わされた状態で各パネル１０２、１０３は相互に直角となる。
【０００５】
一方、接続具１０１は硬質合成樹脂にて成形されており、略矩形状の上面１０１Ａと、相互に直角を成す側面１０１Ｂ、１０１Ｃとから成り、各コーナーは湾曲形状とされている。そして、接続具１０１の上面１０１Ａと側面１０１Ｂ部分の構成する断面及び上面１０１Ａと側面１０１Ｃ部分の構成する断面は、前記各天板パネル１０２、１０３の外形に沿った断面形状を呈している。
【０００６】
そして、各天板パネル１０２、１０３をコーナー部において連結する際には、突き合わされた各天板パネル１０２、１０３が作るコーナー部に接続具１０１を外側から宛い、各パネル１０２、１０３の端縁を覆ってそれらの外面に密接させる。その状態で各パネル１０２、１０３の上面１０２Ａ、１０３Ａに対応する部分の上面１０１Ａにそれぞれ形成したネジ孔１０４、１０４にネジ１０６、１０６を図９に矢印で示す如く上方から挿入して各パネル１０２、１０３の上面１０２Ａ、１０３Ａに螺合させると共に、各パネル１０２、１０３の前面１０２Ｂ、１０３Ｂに対応する部分の側面１０１Ｂ、１０１Ｃ下端にそれぞれ形成したネジ孔１０７、１０７にネジ１０８、１０８を同図中矢印で示す如く下方から挿入して各パネル１０２、１０３の前面１０２Ｂ、１０３Ｂに螺合させるものであった。
【０００７】
【発明が解決しようとする課題】
このように従来では接続具１０１を上下のネジ１０６、１０８にて各天板パネル１０２、１０３に固定していたため、各ネジが接続具の外面に露出し、取付状態における外観が著しく低下する。また、少なくとも上下四カ所をネジ止めしなければならないため、取付作業性も極めて悪いものであった。
【０００８】
また、接続具１０１自体も硬質合成樹脂の成型品であるため、通常は薄肉のため、強度的に弱く、取付作業中や搬送時などに破損してしまうこともあった。
【０００９】
本発明は、係る従来の技術的課題を解決するために成されたものであり、取り付けた状態の外観と取付作業性を改善し、強度的問題も解決したオープンショーケースのパネルコーナー接続具を提供するものである。
【００１０】
【課題を解決するための手段】
本発明の接続具は、オープンショーケースの本体開口上部に取り付けられたパネルを、隣接する他のパネルとコーナー部において連結するものであって、内面上部に形成され、両パネルの端面上部がそれぞれ挿入係合される係合部と、内面下部に形成され、本体にネジ止めされるネジ止め部とを備えたものである。
【００１１】
本発明によれば、オープンショーケースの本体開口上部に取り付けられたパネルを、隣接する他のパネルとコーナー部において接続する接続具の内面上部に両パネルの端面上部がそれぞれ挿入係合される係合部を形成し、内面下部には本体にネジ止めされるネジ止め部を形成したので、隣接するパネルを接続する際には、各パネルの端面上部を接続具内面上部の係合部に挿入係合し、その状態で接続具内面下部のネジ止め部を本体にネジ止めするだけで作業が終了する。
【００１２】
従って、接続具の取付作業が著しく簡素化され、作業性が向上すると共に、従来の如くネジ止め部分が外面に露出しないので、取付状態における外観も顕著に向上するものである。
【００１３】
請求項２の発明のオープンショーケースのパネルコーナー接続具は、上記に加えて内面に突出形成された一対の縦壁を備え、各縦壁の上端に形成された切欠により係合部をそれぞれ構成しているものである。
【００１４】
請求項２の発明によれば、上記に加えて接続具はその内面に突出形成された一対の縦壁を備えており、各縦壁の上端に形成された切欠により係合部をそれぞれ構成しているので、接続具自体の強度が向上し、変形や破損などの不都合の発生を未然に回避することができるようになる。また、構造も単純であり、成形コストの増加も低く抑えられるものである。
【００１５】
請求項３の発明のオープンショーケースのパネルコーナー接続具は、上記各発明に加えて、各係合部間における内面上部に、両パネルのフランジが突き合わされた状態で挿入係合される保持部を形成されているものである。
【００１６】
請求項３の発明によれば、上記各発明に加えて接続具は各係合部間における内面上部に、両パネルのフランジが突き合わされた状態で挿入係合される保持部を形成されているので、各パネルを一段と強固に接続することができるようになる。特に、突き合わされた状態の各パネルのフランジを保持部に挿入係合するのみであるので、取付作業性にも支障を来さないものである。
【００１７】
請求項４の発明のオープンショーケースのパネルコーナー接続具は、上記各発明に加えて内面下部に突出形成された水平壁を備え、この水平壁にネジ止め部を構成しているものである。
【００１８】
請求項４の発明によれば、上記各発明に加えて接続具は内面下部に突出形成された水平壁を備えており、この水平壁にネジ止め部が構成されているので、接続具自体の強度が一層向上する。特に、前記縦壁との組み合わせによって全方向での折曲強度が向上する。そして、同様に構造は単純であるため、成形コストの増加も低く抑えられるものである。
【００１９】
【発明の実施の形態】
以下、図面に基づき本発明の実施形態を詳述する。図１は本発明を適用するオープンショーケース１の斜視図、図２は本発明の接続具２部分のオープンショーケース１の拡大斜視図である。実施例のオープンショーケース１は、前面と図１の向かって右側の二方向に開口部を備えたコーナータイプのオープンショーケースであり、スーパーマーケットなどの店舗内に設置され、背面は店舗の壁面に対向されると共に、向かって左側（図１の奥側）は図示しない他のオープンショーケースに連結されている。
【００２０】
このオープンショーケース１は、本体を構成する断熱壁３内に仕切板４によって図示しないダクトとその前側の貯蔵室６とを形成しており、この貯蔵室６は少なくとも二方向に開口している。各開口の上縁及び下縁には吐出口７と吸込口８が形成されており、ダクト内に設置した図示しない冷却器からの冷気を送風機により吐出口７から吐出し、吸込口８から吸引することによって、各開口に冷気エアーカーテンを構成しつつ、貯蔵室６内を所定温度に冷却するものである。
【００２１】
尚、９・・は貯蔵室６内に架設された商品陳列棚である。また、各吐出口７の外側における開口上縁には反射板１１が取り付けられており、この反射板１１内には図示しない蛍光灯が取り付けられ、貯蔵室６内及びオープンショーケース１の開口部を照明する。
【００２２】
また、各開口の上部における断熱壁３の天壁３Ａ前端には、反射板１１の前上方を覆うようなかたちで、天板パネル１２、１３が取り付けられ、更に各天板パネル１２、１３が突き合わされるコーナー部（図１の向かって右前端）は本発明の接続具２にて連結されている。
【００２３】
各天板パネル１２、１３は塗装鋼板などにて形成されており、図３及び図４に示す如く上面１２Ａ、１３Ａ及び前面１２Ｂ、１３Ｂをそれぞれ有して下方及び後方に開放した長尺形状を呈している。また、図３の如くコーナー部において突き合う各天板パネル１２、１３の端縁内側略半分にはそれぞれ４５度の角度で、下方に直角に折曲されたフランジＦ（天板パネル１３のフランジは図示せず）が形成されており（図４）、更にこのフランジＦより先端側の半分は各前面１２Ｂ、１３Ｂに直行する線にて切除されている。
【００２４】
そして、各天板パネル１２、１３が図３の如く突き合わされた状態で、各フランジＦ、Ｆは相互に密接すると共に、その外側の部分は直角に切除された端面１２Ｃ、１３Ｃとなると共に、この状態で各パネル１２、１３は相互に直角となる。
【００２５】
一方、接続具２は硬質合成樹脂にて成形されており、略矩形状の上面２Ａと、相互に直角を成す側面２Ｂ、２Ｃとから成り、各コーナーは湾曲形状とされている。そして、接続具２の上面２Ａと側面２Ｂ部分の構成する断面及び上面２Ａと側面２Ｃ部分の構成する断面は、前記各天板パネル１２、１３の外形に沿った断面形状と呈している。
【００２６】
更に、接続具２の内面には、図５及び図６に示す如く一対の縦壁２１、２２と水平壁２３が一体に突出形成されている。この場合、縦壁２１は側面２Ｂの中途部の内面から、各面２Ａ、２Ｂ、２Ｃの作る図２の角部Ｐから始まる対角線と平行に後方に突出しており、その上端は上面２Ａに連続し、下端は側面２Ｂの下端部まで延在している。また、縦壁２２は側面２Ｃの中途部の内面から、縦壁２１と平行に後方に突出しており、その上端は上面２Ａに連続し、下端は側面２Ｃの下端部まで延在している。
【００２７】
また、各縦壁２１、２２の上部には後方に突出する突出部２１Ａ、２２Ａがそれぞれ形成されており、これら突出部２１Ａ、２２Ａと上面２Ａとの間には前記天板パネル１２、１３を略キッチリと挿入可能な切欠２６、２７が後縁から前方に切り込まれて形成され、係合部を構成している。
【００２８】
更に、前記角部Ｐの内面には一対の保持壁２８、２９が所定の間隔を存して上面２Ａから各側面２Ｂ、２Ｃにそれぞれ渡って一体に突出形成されている。これら保持壁２８、２９の間隔は前記フランジＦが２枚分略キッチリと挿入可能な寸法とされ、そこを保持部３１としている。また、各保持壁２８、２９と上面２Ａとの間にも切欠２６、２７と同様の切欠３２、３３が形成されている。
【００２９】
他方、前記水平壁２３は接続具２の下部内面に形成されており、各縦壁２１、２２を横断するかたちでそれらと一体に構成されている。また、最も後方に突出する先端部には後述するネジが螺合可能な切込３４が形成され、ネジ止め部を構成している。
【００３０】
そして、各天板パネル１２、１３をコーナー部において連結する際には、各フランジＦ、Ｆが突き合わされた図３の状態の各天板パネル１２、１３が作るコーナー部に、図３中矢印で示す方向から接続具２を差し込んでいく。このとき、天板パネル１２の端面１２Ｃは接続具２の切欠２６、３２内に挿入係合されると共に、天板パネル１３の端面１３Ｃは接続具２の切欠２７、３３内に挿入係合される。
【００３１】
更に、各フランジＦ、Ｆの先端は突き合わされた状態で保持部３１内に挿入係合されて保持される。他方、水平壁２３は各天板１２、１３の内側下方に位置する反射板１１の下面に入り込む。この反射板１１の上面には取付板４２が固定されており、この取付板４２の下方に水平壁２３は対応する。
【００３２】
この状態で接続具２は各天板パネル１２、１３のコーナー部を覆ってそれらの外面に密接する。そして、最終的にネジ４３を図７に示す如く反射板１１の内側から切込３４に通し、取付板４２に螺合させることによって、水平壁２３を反射板１１（本体側）に固定する。
【００３３】
このように、本発明の接続具２によれば、天面パネル１２、１３を接続する際には、各パネル１２、１３の端面１２Ｃ、１３Ｃを内面上部の切欠２６、２７、３２、３３に挿入係合し、その状態で内面下部の切込３４を反射板１１にネジ止めするだけで作業が終了する。
【００３４】
従って、接続具２の取付作業が著しく簡素化され、作業性が向上すると共に、ネジ４３は反射板１１の内側にあり、従来の如くネジ止め部分が外面に露出しないので、取付状態における外観も顕著に向上する。
【００３５】
また、各縦壁２１、２２と水平壁２３を構成したことにより、接続具２自体の強度が向上し、変形や破損などの不都合の発生を未然に回避することができるようになる。また、切欠２６、２７に端面１２Ｃ、１３Ｃを挿入係合する構造であるので、構造も単純であり、成形コストの増加も低く抑えられる。
【００３６】
更に、両天面パネル１２、１３のフランジＦ、Ｆを突き合わせた状態で保持部３１内に挿入係合しているので、各パネル１２、１３を一段と強固に接続することができるようになる。特に、この場合もフランジＦ、Ｆを保持部３１に挿入係合するのみであるので、取付作業性にも支障を来さない。
【００３７】
尚、実施例では隣接する開口の天板パネルを相互に接続するのに本発明の接続具２を適用したが、それに限らず、一方にのみ開口するオープンショーケースなどでは側板上部のパネルと天板パネルを接続することに本発明の接続具２を適用しても良い。
【００３８】
【発明の効果】
以上詳述した如く本発明によれば、オープンショーケースの本体開口上部に取り付けられたパネルを、隣接する他のパネルとコーナー部において接続する接続具の内面上部に両パネルの端面上部がそれぞれ挿入係合される係合部を形成し、内面下部には本体にネジ止めされるネジ止め部を形成したので、隣接するパネルを接続する際には、各パネルの端面上部を接続具内面上部の係合部に挿入係合し、その状態で接続具内面下部のネジ止め部を本体にネジ止めするだけで作業が終了する。
【００３９】
従って、接続具の取付作業が著しく簡素化され、作業性が向上すると共に、従来の如くネジ止め部分が外面に露出しないので、取付状態における外観も顕著に向上するものである。
【００４０】
請求項２の発明によれば、上記に加えて接続具はその内面に突出形成された一対の縦壁を備えており、各縦壁の上端に形成された切欠により係合部をそれぞれ構成しているので、接続具自体の強度が向上し、変形や破損などの不都合の発生を未然に回避することができるようになる。また、構造も単純であり、成形コストの増加も低く抑えられるものである。
【００４１】
請求項３の発明によれば、上記各発明に加えて接続具は各係合部間における内面上部に、両パネルのフランジが突き合わされた状態で挿入係合される保持部を形成されているので、各パネルを一段と強固に接続することができるようになる。特に、突き合わされた状態の各パネルのフランジを保持部に挿入係合するのみであるので、取付作業性にも支障を来さないものである。
【００４２】
請求項４の発明によれば、上記各発明に加えて接続具は内面下部に突出形成された水平壁を備えており、この水平壁にネジ止め部が構成されているので、接続具自体の強度が一層向上する。特に、前記縦壁との組み合わせによって全方向での折曲強度が向上する。そして、同様に構造は単純であるため、成形コストの増加も低く抑えられるものである。
【図面の簡単な説明】
【図１】本発明を適用するオープンショーケースの斜視図である。
【図２】本発明の接続具部分のオープンショーケースの拡大斜視図である。
【図３】オープンショーケースの各天板パネルを突き合わせた状態のコーナー部の斜視図である。
【図４】オープンショーケースの天板パネル端部の斜視図である。
【図５】本発明の接続具の背面図である。
【図６】本発明の接続具の背方斜視図である。
【図７】本発明の接続具部分のオープンショーケースの拡大断面図である。
【図８】従来の接続具を用いたオープンショーケースの接続具部分の拡大斜視図である。
【図９】図８のオープンショーケースの接続具部分の拡大断面図である。
【符号の説明】
１  オープンショーケース
２  接続具
１１  反射板
１２、１３  天板パネル
２１、２２  縦壁
２３  水平壁
２６、２７、３２、３３  切欠（係合部）
３１  保持部
３４  切込（ネジ止め部）
Ｆ  フランジ
【図１】
0003767961.tif 000002
【図２】
0003767961.tif 000003
【図３】
0003767961.tif 000004
【図４】
0003767961.tif 000005
【図５】
0003767961.tif 000006
【図６】
0003767961.tif 000007
【図７】
0003767961.tif 000008
【図８】
0003767961.tif 000009
【図９】
0003767961.tif 000010